(57)【特許請求の範囲】
【請求項１】
第１測定素子（５）と、
第２測定素子（６）であって、前記第２測定素子（６）の第１部分（６ａ）と、前記第２測定素子（６）の第２部分（６ｂ）と、の間に電位勾配が形成されるように、前記第２測定素子（６）が構成されている、第２測定素子（６）と、
前記第２測定素子（６）に関連付けられ、第１電圧（Ｕ１）と、前記第１電圧（Ｕ１）とは異なる第２電圧（Ｕ２）とを生成して、これらを前記第２測定素子（６）に印加するように設計された電圧生成手段（７）と、
前記電圧生成手段（７）に関連付けられ、
第１時間間隔において、前記第１部分（６ａ）に前記第１電圧（Ｕ１）が印加されているときに、前記第２部分（６ｂ）に前記第２電圧（Ｕ２）が印加され、
前記第１時間間隔の次の第２時間間隔において、前記第１部分（６ａ）に前記第２電圧（Ｕ２）が印加されているときに、前記第２部分（６ｂ）に前記第１電圧（Ｕ１）が印加されるようにして、
前記電圧生成手段（７）の動作を制御するように設計された制御手段（８）と、
前記第１時間間隔において、前記第１測定素子（５）と前記第２測定素子（６）との間の第１電荷を測定し、前記第１時間間隔の次の第２時間間隔において、前記第１測定素子（５）と前記第２測定素子（６）との間の第２電荷を測定するように設計されている測定デバイス（９）と、
を備えたことを特徴とする、充填媒体で充填可能な充填容量部（３）の中にある充填媒体（２）の充填レベルを静電容量的に測定するための装置（１）。
【請求項２】
前記測定デバイス（９）に関連付けられ、前記充填容量部（３）の中にある充填媒体（２）の充填レベルの観点から、測定された前記第１電荷および前記第２電荷を評価するように設計された評価デバイス（１０）により特徴付けられる請求項１に記載の装置。
【請求項３】
前記第１測定素子（５）と前記第２測定素子（６）が並んで配置され、前記第１測定素子（５）と前記第２測定素子（６）がキャパシタ組立体を形成することを特徴とする請求項１〜２の何れか一項に記載の装置。
【請求項４】
前記第１測定素子（５）が板状もしくはプレート様、または管状またはチューブ様に設計され、前記第２測定素子（６）が、板状もしくはプレート様、またはロッド形状もしくはロッド様に設計されていることを特徴とする請求項１〜３の何れか一項に記載の装置。
【請求項５】
前記第２測定素子（６）が測定用抵抗器として設計されるか、または少なくとも１つのこのような抵抗器を備えていることを特徴とする請求項１〜４の何れか一項に記載の装置。
【請求項６】
前記測定用抵抗器が抵抗素子として設計され、前記抵抗素子は、前記第２測定素子（６）の長手軸に沿って連続的に延在するようにして形成または配置され、前記第２測定素子（６）の基板素子（１８）の上に形成または配置されることを特徴とする請求項５に記載の装置。
【請求項７】
前記測定用抵抗器が複数の個別の抵抗素子により形成され、前記複数の個別の抵抗素子が、前記第２測定素子（６）の長手軸に沿って、前記第２測定素子（６）の基板素子（１８）の上に、配置または形成されていることを特徴とする請求項５に記載の装置。
【請求項８】
前記第２測定素子（６）には、前記第２測定素子（６）の電気絶縁体を形成する絶縁材料からなる絶縁コーティング（１７）が、少なくとも部分的に設けられていることを特徴とする請求項１〜７の何れか一項に記載の装置。
【請求項９】
前記第２測定素子（６）の前記第１部分（６ａ）が、前記第２測定素子（６）の第１自由端部の領域内に形成されるか、または前記第２測定素子（６）の第１自由端部により形成され、かつ前記第２測定素子（６）の前記第２部分（６ｂ）が、前記第２測定素子（６）の第２自由端部の領域内に形成されるか、または前記第２測定素子（６）の第２自由端部により形成されることを特徴とする請求項１〜８の何れか一項に記載の装置。
【請求項１０】
前記第２測定素子（６）の第１電圧印加部が、前記第２測定素子（６）の前記第１部分（６ａ）の領域内に形成されるか、または前記第１部分（６ａ）により形成され、かつ
前記第２測定素子（６）の第２電圧印加部が、前記第２測定素子（６）の前記第２部分（６ｂ）の領域内に形成されるか、または前記第２部分（６ｂ）により形成されることを特徴とする請求項１〜９の何れか一項に記載の装置。
【請求項１１】
測定素子（６）であって、前記測定素子（６）の第１部分（６ａ）と、前記測定素子（６）の第２部分（６ｂ）との間に、電位勾配が形成されるように構成された測定素子（６）と、
前記測定素子（６）に関連付けられ、第１電圧（Ｕ１）と、前記第１電圧（Ｕ１）とは異なる第２電圧（Ｕ２）とを生成して、これらを前記測定素子（６）に印加するように設計された電圧生成手段（７）と、
前記電圧生成手段（７）に関連付けられ、
第１時間間隔において、前記第１部分（６ａ）に前記第１電圧（Ｕ１）が印加されているときに、前記第２部分（６ｂ）に前記第２電圧（Ｕ２）が印加され、
前記第１時間間隔の次の第２時間間隔において、前記第１部分（６ａ）に前記第２電圧（Ｕ２）が印加されているときに、前記第２部分（６ｂ）に前記第１電圧（Ｕ１）が印加されるように、前記電圧生成手段（７）の動作を制御するように設計された制御手段（８）と、
前記第１時間間隔において、前記第１測定素子と前記第２測定素子との間の第１電荷を測定し、前記第１時間間隔の次の第２時間間隔において、前記第１測定素子と前記第２測定素子との間の第２電荷を測定するように設計されている測定デバイス（９）と、
を備え、
充填媒体（２）で充填可能な充填容量部（３）の中にある充填媒体（２）の充填レベルを静電容量的に測定するための、請求項１〜１０の何れか一項に記載の装置（１）のための、測定組立体（１２）。
【請求項１２】
第１測定素子（５）を提供するステップと、  第２測定素子（６）を提供するステップであって、前記第２測定素子（６）の第１部分（６ａ）と前記第２測定素子（６）の第２部分（６ｂ）との間に電位勾配が形成されるように、前記第２測定素子（６）が構成されている、ステップと、  第１電圧（Ｕ１）と、前記第１電圧（Ｕ１）とは異なる第２電圧（Ｕ２）と、を提供または生成するステップと、  第１時間間隔において、生成された前記第１電圧（Ｕ１）を前記第１部分（６ａ）に印加しているときに、生成された前記第２電圧（Ｕ２）を前記第２部分（６ｂ）に印加し、  前記第１時間間隔の次の第２時間間隔において、生成された前記第１電圧（Ｕ１）を前記第２部分（６ｂ）に印加しているときに、生成された前記第２電圧（Ｕ２）を前記第１部分（６ａ）に印加するステップと、  前記第１時間間隔において、前記第１測定素子（５）と前記第２測定素子（６）の間の第１電荷を測定し、前記第２時間間隔において、前記第１測定素子（５）と前記第２測定素子（６）の間の第２電荷を測定するステップと、  充填容量部（３）の中にある充填媒体（２）の充填レベルの観点から、測定された前記第１電荷および前記第２電荷を評価するステップと、  を含むことを特徴とする、充填媒体（２）で充填可能な充填容量部（３）の中にある充填媒体（２）の充填レベルを静電容量的に測定するための方法。
【請求項１３】
前記方法が、請求項１〜１０の何れか一項に記載の装置（１）を用いて実行されることを特徴とする請求項１２に記載の方法。
【発明の詳細な説明】
【技術分野】
【０００１】
本発明は充填媒体で充填することのできる填容量部の中にある充填媒体の充填レベルを静電容量的に測定するための装置および方法に関する。
【背景技術】
【０００２】
充填媒体で充填することのできる充填容量部の中にある充填媒体の充填レベルを静電容量的に測定するための装置および方法そのものは既に知られている。このような装置および方法は、充填媒体で充填された充填容量部の中に配置された測定デバイスの測定素子に係る電気容量であって、充填媒体の充填レベルに応じて変化する電気容量を評価するという原理に基づくものである。
【０００３】
これまでは、このような装置や方法では、測定される充填レベルが、充填レベルに応じて変化する電気容量から（直接）得られる場合が通常であった。この場合、充填媒体は電気キャパシタの誘電体を通常形成し、また各キャパシタの電極は測定デバイスの測定素子から通常形成される。この場合、充填レベルの測定を可能にするためには、充填媒体の複素比誘電率（以下、単に誘電率と呼ぶこととする）を知る必要があり、複素比誘電率の実数部分は充填媒体の誘電率を表しており、また複素比誘電率の虚数部分は充填媒体の（特定の）電気伝導性を表している。
【０００４】
充填媒体の誘電率が未知のときにも充填レベルの測定を行うことを可能にするためには、充填媒体の充填レベルと誘電率に関して互いに異なる方法で依存する２つの静電容量が提供される場合がある。数学的に考えて、２つの線形独立なシステムが提供される。また別の手法として、充填媒体の誘電率定数を決定するためだけに機能する基準測定素子を提供する方法がある。したがって、この手法では、追加の測定素子が提供されることになり、この素子が充填レベルを測定する実際の測定素子を構成する。
【０００５】
上記の手法は、必要とされるデバイスが多数の電気キャパシタから構成されなければならず、特に電気キャパシタに必要とされている「デカップリング」に起因して、通常は、比較的複雑な設計をもつ測定デバイスになりがちなため、改善が必要である。加えて、基準測定素子を備える測定デバイスは、最大充填レベルと最小充填レベルの間での限られた測定しかできない場合が多い。
【発明の概要】
【０００６】
本発明の目的は、充填媒体で充填することのできる充填容量部の中にある充填媒体の充填レベルを静電容量的に測定するための比較的改善された装置を提供することである。
【０００７】
この目的は、請求項１に記載の装置によって達成される。従属請求項は、装置の可能な実施形態に関する。
【０００８】
本明細書に記載の装置（以下、単に「本装置」とよぶ）は、充填媒体で充填することのできる充填容量部の中の充填媒体の充填レベルを静電容量的に測定するために通常使用され、したがって充填媒体で充填されているまたは充填可能な充填容量部の中にある充填媒体の充填レベルを静電容量的に測定するように設計されている。
【０００９】
本装置を用いて充填レベルが測定される充填媒体は、導電性でも非導電性でも構わない。充填媒体は、必ずしもそうである必要はないが、通常は流体であって、したがって、「充填媒体」という用語には、原則として、気体と固体もまた含まれる。
【００１０】
流体状の充填媒体は特に作動液、例えば、特にエンジン等のモーターなどの機械の作動液で、例えば燃料とすることができ、またはこの種の作動液を含むことができる。この場合、本装置は特にエンジンのモーターに係る充填レベルセンサーとして使用することができるため、そのようなものとして見なし、また記載される場合がある。
【００１１】
充填可能な若しくは充填された充填容量部、本装置を用いて測定されるその充填レベルは、充填容量部の容器または入れ物の幾何／構造的な寸法により通常定められる。したがって、本装置を用いて充填レベルが測定される充填媒体は、容器または入れ物の中に存在する。このような容器または入れ物は例えばタンクとすることができる。
【００１２】
本装置は、充填レベルを判断するために機能する以下に説明される部品または部材を備える。
【００１３】
本装置の第１の部品は第１測定素子である。第１測定素子は、第１測定電極と呼ばれるか、またはそのようなものとしてみなされる。下記から明らかであるが、第１測定素子は、キャパシタ組立体の第１電極として使用または形成され、このキャパシタ組立体は本装置の第１測定素子と第２測定素子により形成される。第１測定素子は通常、導電性を呈する。第１測定素子はしたがって、金属などの導電性材料から構成されるか、または導電性の材料を含む。
【００１４】
本装置の第２の部品は第２測定素子である。第２測定素子は、第２測定電極と呼ばれるか、またはそのようなものとしてみなされる。下記から明らかであるが、第２測定素子は、キャパシタ組立体の第２電極として使用または形成され、このキャパシタ組立体は第１測定素子と第２測定素子により形成される。第１測定素子とは対照的に、またはこれと比較して、第２測定素子は、小さな或いは著しく小さな導電性を通常は有する。
したがって、第１測定素子と比較して、またはこれとは対照的に、第２測定素子は、特に導電性の著しく小さい材料から構成されるか、または特に導電性の著しく小さな導電性材料構造から構成されるか、或いは、導電性が特に著しく小さい材料を含むか、または導電性が特に著しく小さな材料構造を含んでいる。
【００１５】
本装置が作動しているとき、これら２つの測定素子は通常、充填容量部の中に少なくとも部分的に配置されているか、または充填レベルに応じて、充填容量部の中に少なくとも部分的に浸されている。
【００１６】
２つの測定素子は通常、隣り合うように形成されるかまたは配置される。２つの測定素子が隣り合う配置または構成は、通常、第１測定素子と第２測定素子がキャパシタ組立体またはキャパシタを形成するようにして、選択される。この場合、第１測定素子はキャパシタまたはキャパシタ組立体の第１電極を形成し、またこの場合、第２測定素子はキャパシタまたはキャパシタ組立体の第２電極を形成する。間隙またはすき間がこれら２つの測定素子の間に形成されており、この間隙またはすき間には、充填レベルに依存した方法などにより、充填レベルに応じて、充填媒体が充填可能であるか充填されている。
【００１７】
第１測定素子および／または第２測定素子は分割化させて形成することができ、つまり第１測定素子および／または第２測定素子を形成する複数の測定素子分割部を備えることができる。第１測定素子が、第１測定素子を形成する複数の測定素子分割部により形成されるか、または第１測定素子を形成する複数の測定素子分割部を含む場合、および／または、第２測定素子が、第２測定素子を形成する複数の第２測定素子分割部により形成されるか、または第１測定素子を形成する複数の第１測定素子分割部を含む場合、関連する第１測定素子分割部および第２測定素子分割部は通常、これらの配置がキャパシタまたはキャパシタ組立体を形成するようにして、配置される。
【００１８】
第１測定素子または第２測定素子の幾何的／構造的な設計は、第１測定素子と第２測定素子がキャパシタまたはキャパシタ組立体を形成する限り、原理的には好きなように選択することができる。通常は、これら２つの測定素子は何れも細長く形成されており、前記測定素子が何れも明確な長手軸を有するようにして形成される。したがって、第１測定素子と第２測定素子がキャパシタまたはキャパシタ組立体を形成する限り、第１測定素子と第２測定素子について、あらゆる所望の幾何的／構造的な構成を想定することができる。第１測定素子は、例えば、板状もしくはプレート様、または管状またはチューブ様に設計することができる。第２測定素子は、例えば、板状もしくはプレート様、またはロッド形状もしくはロッド様に設計することができる。
【００１９】
例えば板状もしくはプレート様、または管状またはチューブ様に設計された第１測定素子は、第１測定素子および／または第２測定素子を受け入れる本装置の筐体構造体の任意選択的な一体化部分を形成することができる。例えば、板状もしくはプレート様、またはロッド形状もしくはロッド様に設計された第２測定素子は、第１測定素子および／または第２測定素子を受け入れる本装置の筐体構造体の中に受け入れることができる。この場合、第１測定素子／第２測定素子が板状もしくはプレート様のとき、例えば、平行な配置を考えることができる。第１測定素子が板状もしくはプレート様で、第２測定素子がロッド形状もしくはロッド様の実施形態の場合、例えば、同軸状の配置を考えることができる。
【００２０】
それぞれの測定素子は、特に回路基板などの基板素子の上に設けられた導電性を多少有する特定の構造体により形成することもできる。高い電気伝導性を持つ導電性構造体（第１導電性構造体）が第１測定素子を構成して、これと比較して（著しく）低い電気伝導性を持つ導電性構造体（第２導電性構造体）が第２測定素子を構成することができる。これに関連して、いわゆる指間状の配置または構造体を考えることができる。したがって、第１／第２導電性構造体はそれぞれ、互いが相補的となるようにして、平行に、また互いが指状に組み合うようにして配置されるように設計することができる。この場合、各第１／第２導電性構造体の配置は、２つの（直接的に）隣接する第２導電性構造体の間に形成された２つの間隙の中に、第１導電性構造体がそれぞれ、少なくとも部分的に、組み入るようにして配置または設計されるように選択することができる。
【００２１】
第２測定素子は（本装置の運転時）、ポテンシャル勾配、つまり電位ポテンシャルの勾配が、第２測定素子の第１部分と第２測定素子の第２部分の間に形成され、特に第２測定素子の第１自由端部と、第２測定素子の第１自由端部とは反対側に配置されている、第２測定素子の第２自由端部との間に電位勾配が形成されるようにして、構成される。その結果、第２測定素子の第１部分は、第２測定素子の第１自由端部の領域内、または第２測定素子の第１自由端部により形成されるか、および／または、第２測定素子の第２部分は、第２測定素子の第２自由端部の領域内、または第２測定素子の第２自由端部により形成することができる。第２測定素子の前記部分の間に形成された電位勾配は、通常は充填媒体の充填レベルには依存しない。第２測定素子の測定領域は通常、第２測定素子の前記部分の間に延在している。
【００２２】
第２測定素子は測定用抵抗器として設計されるか、または少なくとも１つのこのような抵抗器を備えることができる。したがって、第２測定素子の前記部分の間における電位勾配の形成は、測定用抵抗器として設計されるか、または少なくとも１つのこのような抵抗器を備える第２測定素子に基づくことができる。測定用抵抗器の抵抗（値）は十分に大きいため、第２測定素子の前記部分の間には対応する電位勾配が形成可能であるか、形成されている。
【００２３】
本装置のさらなる素子は電圧生成手段であって、電圧生成手段は第２測定素子に関連付けられ、つまり特に第２測定素子に電気的に接続されているか接続可能となっている。電圧生成手段は第１電圧と第２電圧を提供または生成し、これらを第２測定素子に印加するように設計されている。それぞれの電圧を提供または生成するため、電圧生成手段を、電圧供給ネットワークなどの内部若しくは外部電圧（供給）源に接続させることができる。第１電圧は（大きさを）第２電圧と同じにすることができる。しかし第１電圧は、任意選択的に（その大きさを）第２電圧とは異なるものとすることができ、あるいは第２電圧は、任意選択的に（その大きさを）第１電圧とは異なるものとすることができる。したがって電圧生成手段は、任意選択的に、少なくとも２つの同一もしくは異なる電圧を生成するように設計することができる。
【００２４】
第１／第２電圧をそれぞれ第２測定素子に印加するため、第２測定素子には電気接点などの隔てられた電圧印加部を設けることができ、ここに電圧生成手段により提供または生成された電圧が印加可能であるか印加される。第１電圧印加部は第２測定素子の上記第１部分の領域内、特に第２測定素子の第１自由端部の領域内に配置されるかまたはこれにより形成され、また第２電圧印加部は第２測定素子６の上記第２部分の領域内、特に第２測定素子の第２自由端部の領域内に配置されるかまたはこれにより形成される。
【００２５】
電圧生成手段により提供または生成された電圧は、何れも特に大きさと時間で定められた電圧パルスの形態で提供または生成することができる。したがって、電圧生成手段は、所定の電圧パルスを提供または生成するように設計することができる。このように設計された電圧生成手段は、例えばパルス発生器として設計することができるか、またはパルス発生器を備えることができる。第１電圧パルスは第２電圧パルスと同一にすることができる。しかし、第１電圧パルスは、任意選択的に、第２電圧パルスと（その大きさが）異なるもの、または第２電圧パルスは、任意選択的に、第１電圧パルスと（その大きさが）異なるものとすることができる。したがって電圧生成手段は、任意選択的に、少なくとも２つの同一もしくは異なる電圧パルスを生成するように設計することができる。
【００２６】
本装置のさらなる素子は制御手段であって、制御手段はハードウェアおよび／またはソフトウェアとして実装され、また電圧生成手段に関連付けられている。制御手段は、ハードウェア、および／または、ソフトウェアとして実装されている電圧生成手段の一部を構成することができる。制御手段は、第１電圧および第２電圧が、第２測定素子に交代で印加されるか印加可能なように、つまり第２測定素子のそれぞれの第１電圧印加部および第２電圧印加部に交代で印加されるようにして、電圧生成手段の動作を制御するように設計されている。第２測定素子での第１電圧および第２電圧の交代での印加または存在、つまり第２測定素子のそれぞれの電圧印加部での第１電圧および第２電圧の交代での印加または存在は、第２測定素子のそれぞれの電圧印加部に、所定の（大きさの）電圧または電圧パルスが、交代で印加されることを意味するものとして特に理解される。この場合、第１電圧が第２測定素子の第１電圧印加部に印加されているときに、第２電圧が前記第２測定素子の第２電圧印加部に印加されるか、または、第２電圧が第２測定素子の第１電圧印加部に印加されているときに、第１電圧が前記第２測定素子の第２電圧印加部に印加される。
【００２７】
制御手段はしたがって、電圧生成手段の動作を、第１電圧と第２電圧が第２測定素子に交代で印加されるように、つまり第１電圧と第２電圧が第２測定素子のそれぞれの電圧印加部に交代で印加されるように、制御するように設計されている。したがって、第１時間間隔において第１電圧が、そして次の第２時間間隔において第２電圧が、第２測定素子の第１電圧印加部に印加され、また第１時間間隔において第２電圧が、そして次の第２時間間隔において第１電圧が、第２測定素子の第２電圧印加部に印加されるが、逆の場合も同じである。次の第３時間間隔において、第１電圧が再び第２測定素子の第１電圧印加部に印加され、また第２電圧が再び第２測定素子の第２電圧印加部に印加され、これが繰り返される。
【００２８】
充填媒体で充填されているかまたは充填可能な充填容量部内の充填媒体の充填レベルを静電容量的に測定する改善された原理は、このように設計された装置を用いて実行することができる。下記に認められる通り、本装置を用いて実行可能な静電容量的な充填レベル測定の原理は、充填媒体の充填レベルに応じて変化する第１測定素子と第２測定素子の間の電荷または電気容量の検知と評価に特に基づくものであって、この測定から充填媒体の充填レベルを推測して、これを判断することができる。
【００２９】
この場合、第２測定素子は、第２測定素子に沿って、または第２測定素子の測定領域に沿って、電位勾配を生成する充填レベルに依存しない電圧分配器として通常機能する。第２測定素子に沿う、または第２測定素子の測定領域に沿う、充填レベルに依存しない電圧分配により、第１測定素子と第２測定素子の間の電気容量または電荷が、充填レベルに応じて重み付けされることとなる。第１測定素子と第２測定素子の間の電荷は特に、充填媒体の充填レベル、電位勾配に沿う電位に依存しており、充填媒体の誘電率は、上記の通り、充填媒体の複素比誘電率として理解され、この複素比誘電率の実部は充填媒体の誘電率を表し、また複素比誘電率の虚数部分は充填媒体の（特定の）電気伝導性を表しているが、これは本装置を用いて実行されるか実行可能な充填レベルの判断とは無関係であるため、無視することができる。したがって、本装置を用いて行われるまたは行うことのできる充填レベルの判断を、充填媒体の誘電率とは独立に行うことができ、つまり充填媒体の誘電率を判断することなく行うことができる。
【００３０】
本装置はさらにハードウェアおよび／またはソフトウェアとして実行される測定デバイスを備えることができる。測定デバイスは、第２測定素子、特に第２測定素子の第１電圧印加部と第２電圧印加部にそれぞれ、第１電圧および第２電圧が存在するとき、またはこれらが交代で印加されているときに、第１測定素子と第２測定素子の間の、可変する電気容量または電荷を測定するように設計されている。測定デバイスはしたがって、第１電圧が第２測定素子の第１電圧印加部に印加され、第２電圧が第２測定素子の第２電圧印加部に印加されているときに、第１測定素子と第２測定素子との間の第１電荷を測定し、また第２電圧が第２測定素子の第１電圧印加部に印加され、第１電圧が第２測定素子の第２電圧印加部に印加されているときに、第１測定素子と第２測定素子との間の第２電荷を測定するように設計されている。
【００３１】
通常、測定デバイスはさらに、第２測定素子の各電圧印加部に、第１電圧および第２電圧が存在するときまたはこれらが交代で印加されているときに、第１測定素子と第２測定素子の間の、測定された電荷を表す測定信号を生成するように設計されている。測定信号は少なくとも２つの部分信号を含むことができ、第１部分信号は、第１電圧が第２測定素子の第１電圧印加部に印加され、また第２電圧が第２測定素子の第２電圧印加部に印加されているときの、第１測定素子と第２測定素子の間の電荷を表しており、また第２部分信号は、第２電圧が第２測定素子の第１電圧印加部に印加され、第１電圧が第２測定素子の第２電圧印加部に印加されているときの、第１測定素子と第２測定素子の間の電荷を表している。
【００３２】
本装置はさらにハードウェアおよび／またはソフトウェアとして実行される評価デバイスを備えることができる。評価デバイスを測定デバイスに関連付けることができる。評価デバイスは、第２測定素子、特に第２測定素子のそれぞれの電圧印加部に、第１電圧および第２電圧が存在するときまたはこれらが交代で印加されているときに、測定された電荷を評価するか、または充填容量部の中にある充填媒体の充填レベルを考えて前記測定信号を評価するように、設計されている。測定された電荷または測定信号を評価するため、評価デバイスには好適な評価ロジックまたは好適な評価アルゴリズムを含むことができる。
【００３３】
第２測定素子は上記の通り、通常は細長くなるように設計されるが、上記の通り、測定用抵抗器として設計することができ、または少なくとも１つのこのような抵抗器を備えることができる。
【００３４】
測定用抵抗器は抵抗素子などとして設計することができ、抵抗素子は、第２測定素子の長手軸に沿って連続的に延在し、特に第２測定素子の基板素子の上に設けられるようにして、形成または配置されるが、この基板素子は、例えば回路基板とすることができる。第１測定素子および、これに対応して測定用抵抗器または抵抗素子として設計された第２測定素子の等価回路図は、「無限」数のＲＣ素子を有するＲＣチェーンを構成する。
【００３５】
場合によっては、測定用抵抗器を、複数の個別の導電性、特に金属製の面素子により形成することも考えられ、各面素子は、第２測定素子の基板素子上で、第２測定素子の長手軸または第２測定素子に沿って配置または形成されており、この基板素子は、上記の通り、回路基板とすることができ、これら面素子は何れも、個別の抵抗素子および第２測定素子の各電圧印加部と接続されている。この場合、通常、それぞれの面素子と抵抗素子の交互的な配置が考えられる。第１測定素子とこれに対応して設計された第２測定素子の等価回路図は、電気抵抗器により接続された複数の個別の静電容量面を表している。
【００３６】
したがって一般的に、測定用抵抗器は通常細長く、つまり第２測定素子の長手軸方向に少なくとも部分的に延在する場合がある。
【００３７】
具体的な設計な何であれ、例えば基板素子を少なくとも部分的に、場合によっては完全にコーティングする場合であっても、この基板素子は、上記の通り、回路基板とすることができ、測定用抵抗器、ひいては第２測定素子は、適当な材料で形成することができる。コーティングは、第２測定素子の前記部分の間を（第２測定素子の長手方向に）連続的にまたは不連続的に延在することができる。コーティングは、コーティングを形成する材料塗布を可能にする、特に種々の化学的および／または物理的な、蒸着または塗布またはコーティング技術を用いて達成することができる。単なる例として、堆積、蒸着またはプリントについて記載される。
【００３８】
第２測定素子は、第２測定素子の電気絶縁体を形成するプラスチック材料などの好適な絶縁材料からなる絶縁コーティングを、少なくとも部分的に、特に完全な形で（追加で）設けることができる。第２測定素子はこのようにして充填媒体から絶縁することが可能で、つまり、例えば充填媒体と第２測定素子との間に電気接触が存在しない。このような絶縁性コーティングにより達成される第２測定素子の絶縁は、通常は、本装置を導電性の充填媒体と共に使用する場合にだけ必要となる。したがって、絶縁性コーティングは原則、任意選択的なものである。
【００３９】
本装置に加えて、本発明はまた、充填媒体で充填されているかまたは充填可能な充填容量部内の充填レベルを静電容量的に測定するための、特に記載されている本装置のための測定組立体に関する。測定組立体は、第２測定素子の第１部分と第２部分との間、通常は第２測定素子の第１電圧印加部と第２測定素子の第２電圧印加部との間に、電位勾配が形成されるように構成された測定素子（これは本装置と共に本装置の第２測定素子を形成する）と、第２測定素子に関連付けられ、かつ第１電圧と、前記第１電圧とは任意選択的に異なる第２電圧を生成し、前記各電圧を前記第２測定素子に交代的に印加するように設計された電圧生成手段に加えて、前記電圧生成手段に関連付けられ、かつ前記第１電圧と前記第２電圧が前記第２測定素子の前記第１部分と前記第２部分に交代で印加されるようにして、前記電圧生成手段の動作を操作するように設計されている制御手段が備えられている。
【００４０】
測定組立体はさらに、前記第２測定素子の前記第１部分と前記第２部分に、前記第１電圧および前記第２電圧が交代で印加されているときに、前記第１測定素子と前記第２測定素子の間の電荷を測定するように設計されている測定デバイスと、測定デバイスに関連付けられ、前記第２測定素子、特に前記第２測定素子のそれぞれの電圧印加部に、第１電圧および第２電圧が交代で印加されているときに、充填容量部の中の充填媒体の充填レベルの観点から、測定された電荷を評価するように設計されている評価デバイスと、を備えることができる。
【００４１】
測定組立体の個々の部品、複数の部品、または全ての部品を、構造的に組み合わせることにより、別々に取り扱うことのできる組立体を構成することができ、例えば、測定組立体の筐体の内部または表面に配置または形成することができる。
【００４２】
本装置に関連してなされたすべての記載、測定組立体に対しても同様に適応される。
【００４３】
本装置と測定組立体に加えて、本発明はまた、充填媒体で充填されているかまたは充填可能な充填容量部内にある充填媒体の充填レベルを静電容量的に測定するための方法に関する。
この方法は特に以下のステップ：
第１測定素子を提供するステップと、
第２測定素子であって、前記第２測定素子の第１部分、特に前記第２測定素子の第１電圧印加部と、前記第２測定素子の第２部分、特に前記第２測定素子の第２電圧印加部との間に電位勾配が形成されるように、前記第２測定素子が構成されている、第２測定素子を提供するステップと、
第１電圧、および／または、前記第１電圧とは任意選択的に異なる第２電圧、を提供または生成するステップと、
生成された前記第１電圧と前記第２電圧とを、前記第２測定素子の前記第１部分と前記第２部分とに、交代で印加するステップと、
前記第２測定素子に、前記第１電圧および前記第２電圧が存在するときまたはこれらが交代で印加されているときに、前記第１測定素子と前記第２測定素子の間の電荷を測定するステップと、
前記第２測定素子に、前記第１電圧および前記第２電圧が存在するときまたはこれらが交代で印加されているときに、充填容量部内の充填媒体の充填レベルの観点から、測定された前記電荷を評価するステップと、
を含んでいる。
【００４４】
本方法は特に記載されている装置を用いて実施されるが、本装置に関連してなされるすべての記載は、本方法にも同様にして適応される。
【図面の簡単な説明】
【００４５】
本発明は、図面に示される実施形態を参照して、以下により詳細に説明される。
【図１】図１は、充填媒体で充填されているかまたは充填可能な充填容量部内の充填レベルを静電容量的に測定するための装置の概略図である。
【図２】図２は、充填媒体で充填されているかまたは充填可能な充填容量部内の充填レベルを静電容量的に測定するための装置の概略図である。
【図３】図３は、さらなる実施形態に係る測定素子の概略図である。
【図４】図４はさらなる実施形態に係る測定素子の概略図である。
【図５】図５はさらなる実施形態に係る測定素子の概略図である。
【図６】図６はさらなる実施形態に係る測定素子の概略図である。
【発明を実施するための形態】
【００４６】
図１と図２は何れも、充填媒体２で充填されているかまたは充填可能な充填容量部３内の充填レベルを静電容量的に測定するための装置１の概略図である。
充填容量部３は、容器４の幾何／構造的な寸法により形成され、例えば、特に容器４の壁または壁部４ａ〜４ｃにより形成される。
【００４７】
一実施形態において、充填媒体２は燃料等の流体である。したがって、例えば、一実施形態において、容器４はタンクである。容器４の壁は４ａ〜４ｃと記される。
【００４８】
本装置１は、以下詳細に説明される２つの測定素子５，６を備えている。
【００４９】
一実施形態において、第１測定電極とも記載または呼ばれる第１測定素子５が、例えば、本装置１の筐体構造体１４の壁などにより形成される。第１測定素子は導電性であるか、または導電性の性質を示すため、したがって、第１測定素子５は金属等の導電性材料から形成されている。第１測定素子５のポテンシャルはＵ０と記される。
【００５０】
図面に示されている本装置１の作動状態において、第２測定電極とも記載または呼ばれる第２測定素子６が、第１測定素子５に隣接するように配置されている。したがって、第２測定素子６は、本装置１の筐体構造体１４により形成された受け入れスペース１５の中または内部に受け入れられている。
【００５１】
これら２つの測定素子５，６は細長くなるように設計され、また平行に配置されており、例えば、２つの測定素子５，６の長手軸（図示せず）がそれぞれ平行になるように配向される。
【００５２】
２つの測定素子５，６が、キャパシタ組立体１６またはキャパシタを形成するように、並んで配置されていることは明らかである。この場合、第１測定素子５はキャパシタ組立体１６の第１電極を形成し、この場合、第２測定素子６がキャパシタ組立体１６の第２電極を形成する。間隙またはすき間（受け入れスペース１５を参照）がこれら２つの測定素子５，６の間に形成されており、この間隙またはすき間には、充填レベルに依存した方法などにより、充填レベルに応じて、充填媒体２が充填可能であるか充填されている。
【００５３】
２つの測定素子５，６が充填容量部３の中に配置され、または充填レベルに応じて、充填媒体２の中に少なくとも部分的に浸されることは明らかである。
【００５４】
第２測定素子６は第１測定素子５と比較して、またはこれとは対照的に、導電性が（著しく）小さいか、または第１測定素子５とは対照的な（著しく）小さい導電性を有する。したがって、第１測定素子５と比較して、またはこれとは対照的に、第２測定素子６は、導電性が（著しく）小さい材料から形成されるか、または導電性が（著しく）小さな材料構造で形成される。
【００５５】
図１と図２に図示の通り、第２測定素子６に（任意選択的な）絶縁コーティング１７を設けることが可能か、またはこのようなコーティングで覆うことが出来る。絶縁コーティング１７は充填媒体２が導電性でないときは省略することができるため、絶縁コーティング１７は原則的には任意選択的である。
【００５６】
本装置１の運転時、ポテンシャル勾配、つまり電位の勾配が、第２測定素子６の第１部分６ａと第２測定素子６の第２部分６ｂの間に形成され、特に第２測定素子６の第１自由端部と、第２測定素子６の第１自由端部とは反対側に配置されている、第２測定素子６の第２自由端部との間に電位勾配が形成されるようにして、第２測定素子６が構成される。各図面に図示の実施形態において、第２測定素子６の第１部分６ａは、第２測定素子６の第１自由端部の領域内、または第２測定素子６の第１自由端部により形成される。各図面に図示の実施形態において、第２測定素子６の第２部分６ｂは、第２測定素子６の第２自由端部の領域内、または第２測定素子６の第２自由端部により形成される。第２測定素子６の前記部分６ａ，６ｂの間に形成された電位勾配は、通常は充填媒体２の充填レベルには依存しない。第２測定素子６の測定領域はこれら２つの部分６ａ，６ｂの間に延在している。
【００５７】
第２測定素子６は測定用抵抗器として設計される。したがって、第２測定素子６の前記部分６ａ，６ｂの間の電位勾配の形成は、測定用抵抗器として設計された第２測定素子６に基づくものである。測定用抵抗器の抵抗（値）は十分に大きいため、第２測定素子６の前記部分６ａ，６ｂの間には対応する電位勾配が形成される。
【００５８】
測定用抵抗器は抵抗素子として設計することができ、特に、例えば第２測定素子６の回路基板など、基板素子１８の上で第２測定素子６の長手軸に沿って、連続的に延在するようにして形成または配置される。第１測定素子５および、これに対応して測定用抵抗器または抵抗素子として設計された第２測定素子６の等価回路図は、「無限」数のＲＣ素子のあるＲＣチェーンを構成する。
【００５９】
以下から明らかなように、図５に図示の実施形態に関連して、場合によっては、測定用抵抗器を、複数の個別の導電性、特に金属製の面素子Ｆ１〜Ｆｎにより形成することを考えることができ、各面素子Ｆ１〜Ｆｎは、第２測定素子６の対応する基板素子１８上で第２測定素子６の長手軸に沿って配置または形成されており、これら面素子はそれぞれ個別の抵抗素子Ｒ１〜Ｒｎに接続されている。第１測定素子５とこれに対応して設計された第２測定素子６の等価回路図は、電気抵抗器により接続された複数の個別の静電容量面を表示している。
【００６０】
具体的な設計な何であれ、測定用抵抗器、ひいては第２測定素子６は、基板素子１８を金属などの適当な材料で、少なくとも部分的に、また場合によっては完全にコーティングすることによって形成することができる。コーティング１１は、第２測定素子６の前記部分６ａ，６ｂの間を（第２測定素子の長手方向に）連続的にまたは不連続的に延在することができる。コーティング１１は、コーティング１１を形成する材料塗布を可能にする、特に種々の化学的および／または物理的な、蒸着または塗布またはコーティング技術を用いて達成することができる。図１および図２に示された実施形態において、例えば、測定用抵抗器を形成するコーティング１１は、印刷技術、特にスクリーン印刷技術を用いて、基板素子１８に塗布される。
【００６１】
図１および図２に示された実施形態において、第２測定素子６は、第２測定素子６の電気絶縁体を形成するプラスチック材料などの好適な絶縁材料からなる絶縁コーティング１７を追加で設けることができる。第２測定素子６はこのようにして充填媒体２から絶縁されており、つまり、例えば充填媒体２と第２測定素子６との間に電気接触が存在しない。
【００６２】
本装置１は、第２測定素子６に関連付けられ、つまり特に第２測定素子６に電気的に接続されている電圧生成手段７をさらに備えることができる。電圧生成手段７は、第１電圧Ｕ１および第２電圧Ｕ２を提供または生成し、またこれらを第２測定素子６に印加するように設計されている。それぞれの電圧Ｕ１，Ｕ２を提供または生成するため、電圧生成手段７を、電圧供給ネットワークなどの内部若しくは外部電圧（供給）源（図示せず）に接続させることができる。第１電圧Ｕ１は第２電圧Ｕ２と同一にすることができる。しかし、第１電圧Ｕ１は、任意選択的に、第２電圧Ｕ２と（その大きさが）異なるもの、または第２電圧Ｕ２は、任意選択的に、第１電圧Ｕ１と（その大きさが）異なるものとすることができる。したがって電圧生成手段７は、任意選択的に、少なくとも２つの同一もしくは異なる電圧Ｕ１，Ｕ２を生成するように設計することができる。
【００６３】
第１／第２電圧Ｕ１，Ｕ２をそれぞれ第２測定素子６に印加するため、第２測定素子６には電気接点などの隔てられた電圧印加部が設けられ、ここに電圧生成手段７により提供または生成された電圧Ｕ１，Ｕ２が印加可能であるか印加される。第１電圧印加部は第２測定素子６の上記第１部分６ａの領域内に配置されるかまたはこれにより形成され、また第２電圧印加部は第２測定素子６の上記第２部分６ｂの領域内に配置されるかまたはこれにより形成される。
【００６４】
電圧生成手段７により提供または生成された電圧Ｕ１，Ｕ２は、何れも特に大きさと時間で定められた電圧パルスの形態で提供または生成される。したがって、電圧生成手段７は、所定の電圧パルスを提供または生成するように設計することができる。このように設計された電圧生成手段７は、例えばパルス発生器として設計することができる。しかし、第１電圧パルスは、任意選択的に、第２電圧パルスと（その大きさが）異なるもの、または第２電圧パルスは、任意選択的に、第１電圧パルスと（その大きさが）異なるものとすることができる。第１電圧パルスは第２電圧パルスと同一にすることができる。したがって電圧生成手段７は、任意選択的に、少なくとも２つの同一もしくは異なる電圧パルスを生成するように設計することができる。
【００６５】
本装置１はまた、ハードウェア、および／または、ソフトウェアとして実装され、電圧生成手段７に関連付けられている制御手段８をさらに備える。制御手段８は、第１電圧Ｕ１および第２電圧Ｕ２が、第２測定素子６に交代で印加されるように、つまり第２測定素子６の第１電圧印加部および第２電圧印加部に交代で印加されるようにして、電圧生成手段７の動作を制御するように設計されている。第２測定素子６での第１電圧Ｕ１および第２電圧Ｕ２の存在または交代での印加、つまり第２測定素子６のそれぞれの電圧印加部での第１電圧Ｕ１および第２電圧Ｕ２の存在または交代での印加は、第２測定素子６のそれぞれの電圧印加部に、所定の（大きさの）電圧Ｕ１，Ｕ２または電圧パルスが、交代で印加されることを意味するものとして特に理解される。この場合、図１に示されている通り、第１電圧Ｕ１が第２測定素子６の第１電圧印加部に印加されているときに、第２電圧Ｕ２が前記第２測定素子６の第２電圧印加部に印加されるか、または、図２に図示の通り、第２電圧Ｕ２が第２測定素子６の第１電圧印加部に印加されているときに、第１電圧Ｕ１が前記第２測定素子６の第２電圧印加部に印加される。
【００６６】
制御手段８はしたがって、電圧生成手段７の動作を、第１電圧Ｕ１と第２電圧Ｕ２が第２測定素子６に交代で印加されるように、つまり第１電圧Ｕ１と第２電圧Ｕ２が第２測定素子６のそれぞれの電圧印加部に交代で印加されるように制御するように設計されている。したがって、第１時間間隔（図１を参照）において第１電圧Ｕ１が、次の第２時間間隔（図２を参照）において第２電圧Ｕ２が、第２測定素子６の第１電圧印加部に印加され、また第１時間間隔（図１を参照）において第２電圧Ｕ２が、次の第２時間間隔（図２を参照）において第１電圧Ｕ１が、第２測定素子６の第２電圧印加部に印加される。また次の第３時間間隔において、第１電圧Ｕ１が再び第２測定素子６の第１電圧印加部に印加され、また第２電圧Ｕ２が再び第２測定素子６の第２電圧印加部に印加され、これが繰り返される。
【００６７】
本装置１を用いて実行することのできる静電容量的な充填レベル測定の原理は、特に第１測定素子５と第２測定素子６の間の電気容量または電荷の検知と評価に基づいたものであって、この電気容量または電荷は充填媒体２の充填レベルに応じて変化し、この測定から充填媒体２の充填レベルを推測してこれを判断することができる。
【００６８】
この場合、第２測定素子６は、第２測定素子６に沿って、または第２測定素子６の測定領域に沿って、電位勾配を生成する充填レベルに依存しない電圧分配器として通常機能する。第２測定素子６に沿う、または第２測定素子６の測定領域に沿う、充填レベルに依存しない電圧分配により、第１測定素子５と第２測定素子６の間の電気容量または電荷が、充填レベルに応じて重み付けされることとなる。したがって、第１測定素子５と第２測定素子６の間の電荷は特に、充填媒体２の充填レベル、電位勾配に沿う電位、に依存しているが、充填媒体２の誘電率は、本装置１を用いて実行することのできる充填レベルの判断とは無関係であるため、無視することができる。したがって、本装置１を用いて実行することのできる充填レベルの判断は、充填媒体２の誘電率とは独立にすることが可能である。
【００６９】
本装置１にはさらに、ハードウェアおよび／またはソフトウェアとして実行される測定デバイス９が備えられる。測定デバイス９は、第２測定素子６の電圧印加部に、第１電圧Ｕ１および第２電圧Ｕ２が存在するとき、またはこれらが交代で印加されているときに、第１測定素子５と第２測定素子６の間の、可変する電気容量または電荷を測定するように設計されている。測定デバイス９はしたがって、第１電圧Ｕ１が第２測定素子６の第１電圧印加部に印加され、第２電圧Ｕ２が第２測定素子６の第２電圧印加部に印加されているときに、第１測定素子５と第２測定素子６との間の第１電荷を測定し、また第２電圧Ｕ２が第２測定素子６の第１電圧印加部に印加され、第１電圧Ｕ１が第２測定素子６の第２電圧印加部に印加されているときに、第１測定素子５と第２測定素子６との間の第２電荷を測定するように設計されている。
【００７０】
測定デバイス９はさらに、第２測定素子６の各電圧印加部に、第１電圧Ｕ１および第２電圧Ｕ２が存在するときまたはこれらが交代で印加されているときに、第１測定素子５と第２測定素子６の間の、測定された電荷を表す測定信号を生成するように設計されている。測定信号は少なくとも２つの部分信号を含むことができ、第１部分信号は、第１電圧Ｕ１が第２測定素子６の第１電圧印加部に印加され、また第２電圧Ｕ２が第２測定素子６の第２電圧印加部に印加されているときの、第１測定素子５と第２測定素子６の間の電荷を表しており、また第２部分信号は、第２電圧Ｕ２が第２測定素子６の第１電圧印加部に印加され、第１電圧Ｕ１が第２測定素子６の第２電圧印加部に印加されているときの、第１測定素子５と第２測定素子６の間の電荷を表している。
【００７１】
測定デバイス９は、ハードウェア、および／または、ソフトウェアとして実行される評価デバイス１０に関連付けられている。評価デバイス１０は、第２測定素子６、特に第２測定素子６のそれぞれの電圧印加部に、第１電圧Ｕ１および第２電圧Ｕ２が存在するときまたはこれらが交代で印加されているときに、測定された電荷を表す測定信号を評価するか、または充填容量部３の充填媒体２の充填レベルを考えて前記測定信号を評価するように、設計されている。測定された電荷または測定信号を評価するため、評価デバイス１０には好適な評価ロジックまたは好適な評価アルゴリズムを含むことができる。
【００７２】
図１および図２は、充填媒体２で充填可能な充填容量部３の中にある充填媒体２の充填レベルを静電容量的に測定するための測定組立体１２をさらに示している。測定組立体１２は、第２測定素子６、本装置１を形成する測定素子６と、第２測定素子６に関連付けられた電圧生成手段７と、制御手段８と、測定デバイス９と、評価デバイス１０と、を備えている。
【００７３】
破線で示されたボックス１３に表されている通り、測定組立体１２の個々の部品、複数の部品、または全ての部品を、構造的に組み合わせることにより、別々に取り扱うことのできる組立体を構成することができ、例えば、測定組立体１２の筐体（図示せず）の内部または表面に配置または形成することができる。
【００７４】
図１および図２に示された実施形態において、第１測定素子５と第２測定素子６は何れも板状またはプレート様に設計されている。図３は測定素子５，６またはその組立体の断面図であって、対応するキャパシタ組立体１６に係る実施形態の概略図を示している。図３の底部にある第１測定素子５は、任意選択的なものであるため、破線で図示されている。
【００７５】
図４〜６は第１測定素子５および第２測定素子６またはこれらにより形成されたキャパシタ組立体１６に係るさらなる実施形態を示している。
【００７６】
図４は測定素子５，６が例えば同軸状に配置されている断面図である。測定素子５，６の同軸状の配置は、第１測定素子５が管状または管様の設計となり、また第２測定素子６がロッド形状またはロッド様の設計となることから生じるものである。
【００７７】
図５は（上記の通り）、複数の個別的な、導電性、特に金属製の面素子Ｆ１〜Ｆｎによる第２測定素子の形成に係る単なる概略図であって、各面素子Ｆ１〜Ｆｎは、第２測定素子６の対応する基板素子１８上で第２測定素子６の長手軸に沿って配置または形成されており、これら面素子はそれぞれ個別の抵抗素子Ｒ１〜Ｒｎに接続されている。これらの面素子Ｆ１〜Ｆｎと抵抗素子Ｒ１〜Ｒｎから構成される交代的な配置が生じることは明らかである。したがって図５から、第２測定素子６は、分割化されるようにして設計することができ、例えば複数の測定素子分割部を備えることができ、具体的には第２測定素子６を形成する対応する面素子Ｆ１〜Ｆｎおよび抵抗素子Ｒ１〜Ｒｎの形態で備えることができることは明らかである。
【００７８】
キャパシタ組立体１６の平面図である図６に図示の実施形態から、測定素子５，６はまた、回路基板などの基板素子１８の上に設けられた、多少の導電性を持つ特定の構造体から構成することができることは明らかである。高い電気伝導性を持つ導電性構造体（第１導電性構造体１９）が第１測定素子５を構成し、これと比較して（著しく）低い電気伝導性を持つ導電性構造体（第２導電性構造体２０）が第２測定素子６を構成する。これに関連して、いわゆる指間状の配置または構造体が図６に図示されている。したがって、第１／第２導電性構造体１９，２０はそれぞれ、互いが相補的となるようにして、平行に、また互いが指状に組み合うようにして配置されるように設計されている。
この場合、各第１／第２導電性構造体１９，２０の配置は、２つの（直接的に）隣接する第２導電性構造体２０の間に形成された２つの間隙の中に、第１導電性構造体１９がそれぞれ、少なくとも部分的に、組み入るようにして配置または設計されるように選択される。
【００７９】
充填媒体２で充填されているかまたは充填可能な充填容量部３内の充填媒体２の充填レベルを静電容量式に測定する方法は、各図面に図示されている測定組立体１２または本装置１を用いて実行することができる。
【００８０】
この方法は特に以下のステップを含んでいる：
第１測定素子５を提供するステップと、
第２測定素子６を提供するステップであって、前記第２測定素子６の第１部分６ａと前記第２測定素子６の第２部分６ｂとの間に電位勾配が形成されるように、前記第２測定素子６が構成されている、ステップと、
第１電圧Ｕ１と、前記第１電圧Ｕ１とは任意選択的に異なる第２電圧Ｕ２と、を提供または生成するステップと、
生成された前記第１電圧Ｕ１と前記第２電圧Ｕ２とを、前記第２測定素子６の前記第１部分６ａと前記第２部分６ｂとに、交代で印加するステップと、
前記第２測定素子６に、前記第１電圧Ｕ１および前記第２電圧Ｕ２が存在するときまたはこれらが交代で印加されているときに、前記第１測定素子５と前記第２測定素子６の間の電荷を測定するステップと、
前記第２測定素子６に、前記第１電圧Ｕ１および前記第２電圧Ｕ２が存在するときまたはこれらが交代で印加されているときに、充填容量部３内の充填媒体２の充填レベルの観点から、測定された前記電荷を評価するステップ。
【図１】
0006931132.tif 000002
【図２】
0006931132.tif 000003
【図３】
0006931132.tif 000004
【図４】
0006931132.tif 000005
【図５】
0006931132.tif 000006
【図６】
0006931132.tif 000007